(57)【要約】【課題】空港の到着ロビーバゲージルームの手荷物受取り時間に地域の様々な情報及びスポット広告等をタイムリーに映像表示する映像表示システムを提供する。【解決手段】空港到着ロビーのバゲージルームコンベアー近辺の適宜箇所に配置される複数の映像表示装置１，１，…と、バゲージルームの出入口近辺に配置される映像表示装置２と、ＤＶＤプレーヤー３及びＡＶ分配機４とにより構成され、前記バゲージルームコンベアー近辺の適宜箇所に配置される複数の映像表示装置１，１，…を航空機の到着に合わせて映像表示させる手段を講じ、バゲージルームの出入口近辺に配置される映像表示装置２を常時映像表示させる手段を講じてなる空港到着ロビー映像表示システムである。【選択図】図１
2007072140.tif 000002
【特許請求の範囲】
【請求項１】
空港到着ロビーのバゲージルームコンベアー近辺の適宜箇所に配置される複数の映像表示装置と、バゲージルームの出入口近辺に配置される映像表示装置と、ＤＶＤプレーヤー及びＡＶ分配機とにより構成され、前記バゲージルームコンベアー近辺の適宜箇所に配置される複数の映像表示装置を航空機の到着に合わせて映像表示させるような手段が講じられると共に、バゲージルームの出入口近辺に配置される映像表示装置は、常時映像表示させるような手段が講じられてなることを特徴とする空港到着ロビー映像表示システム。
【請求項２】
バゲージルームコンベアー近辺の適宜箇所に配置される複数の映像表示装置の映像表示手段は、バゲージルーム内の到着を知らせるフライトインジケーターの点灯若しくは点滅の受信により起動させて映像表示させるようにしたものであることを特徴とする請求項１記載の空港到着ロビー映像表示システム。
【発明の詳細な説明】
【技術分野】
【０００１】
本発明は、空港到着ロビーにおける手荷物受取り待ち時間を利用してその地域の様々な情報及びスポット広告等をタイムリーに映像表示するようにした空港到着ロビー映像表示システムに関する。
【背景技術】
【０００２】
航空機が到着すると、乗客は預けた手荷物を受取るため到着ロビーのバゲージルームへ移動するが、バゲージルームで手荷物を受取るまでの時間は退屈であり長く感ずるものである。ホテルや空港のロビー、病院の待合室等の公衆がしばらく居続ける場所に設置し、ニュースや天気予報等の文字多重放送によって得られる情報、及び該情報のみならずＣＭ等の情報を所望のタイミングで所望する時間だけ簡易且つ適宜に表示せしめる情報表示装置及びこれを用いた情報提供システムは周知されている。（例えば特許文献１参照）
【０００３】
【特許文献１】実用新案登録第３０８０８８１号公報
【発明の開示】
【発明が解決しようとする課題】
【０００４】
しかしながら、上記特許文献１に記載される情報表示装置及びこれを用いた情報提供システムは、文字情報管理センターから公衆電話回線を介して一方的に送信された広告宣伝用の文字情報信号や放送局から文字多重放送による文字情報信号を受信するようなシステムとなっており、公衆がしばらく居続ける場所に設置し、ニュースや天気予報等の新情報を提供するには良いが、空港到着ロビーのバゲージルームにおける待ち時間を利用してその地域の様々な情報及びスポット広告をタイムリーに映像表示するには適用し難い問題点を有しており、よって本発明はこのような問題点に鑑みてなされた空港到着ロビー映像表示システムを提供することを課題とする。
【課題を解決するための手段】
【０００５】
上記課題を達成すべく、本発明は以下に記載するような手段を講じてなるものである。
すなわち、空港到着ロビーのバゲージルームコンベアー近辺の適宜箇所に配置される複数の映像表示装置と、バゲージルームの出入口近辺に配置される映像表示装置と、ＤＶＤプレーヤー、ＡＶ分配機とにより構成され、前記バゲージルームコンベアー近辺の適宜箇所に配置される複数の映像表示装置を航空機の到着に合わせて映像表示させるような手段が講じられると共に、バゲージルームの出入口近辺に配置される映像表示装置は常時映像表示させるような手段が講じられてなることを特徴とする空港到着ロビー映像表示システムである。
【０００６】
前記バゲージルームコンベアー近辺の適宜箇所に配置される複数の映像表示装置の映像表示手段は、バゲージルーム内の到着を知らせるフライトインジケーターの点灯若しくは点滅の受信により起動させて映像表示させるようにしたものである。或いはリモコンスイッチ等により起動させて映像表示させるようにしても良い。
【発明の効果】
【０００７】
上記手段にて記載する如く、本発明はバゲージルームコンベアー近辺の適宜箇所に配置される複数の映像表示装置を航空機の到着に合わせて映像表示されるようにしたから、手荷物受取り時間が癒されて退屈でなくなると共に、連続映像するのに較べランニングコストが低減できる。
【０００８】
一方的に公衆電話回線を介しての送信や、放送局から文字多重放送によらず編集は自由に企画できるので、地場の観光スポットや自然、歴史散策、グルメ、特産品等の情報及びスポット広告等を採り入れて観光客等への強力なイメージをアピールすることができ、地域の活性化及び地場産業の浮揚につながる。
【０００９】
ユニークな地域空港としての差別化をアピールすることができ、空港の活性化につながる。
【００１０】
システムはシンプルな構成であり、大掛りな設置工事を必要とせず、短時間に設置できると共に、設置費用が安価となる。
などの効果を奏する。
【発明を実施するための最良の形態】
【００１１】
本発明を実施するための最良の形態は、空港到着ロビーのバゲージルームコンベアー近辺の適宜箇所に配置される複数の映像表示装置と、バゲージルームの出入口近辺に配置される映像表示装置と、ＤＶＤプレーヤー及びＡＶ分配機とにより構成され、前記バゲージルームコンベアー近辺の適宜箇所に配置される複数の映像表示装置を航空機の到着に合わせて映像表示させる手段を講じ、バゲージルームの出入口近辺に配置される映像表示装置を常時映像表示させる手段を講じた空港到着ロビー映像表示システムである。以下実施例にて図面に基づき説明する。
【実施例１】
【００１２】
図１は、本発明の実施例を示す系統図であり、空港到着ロビーのバゲージルームコンベアー近辺の適宜箇所に配置される複数の映像表示装置１，１，…と、バゲージルームの出入口近辺に配置される映像表示装置２と、ＤＶＤプレーヤー３及びＡＶ分配機４とにより構成されており、ＤＶＤプレーヤー３よりＡＶ分配機４を介して前記映像表示装置１，１，…と映像表示装置２へそれぞれ配線手段７，７，…が施され、ＤＶＤプレーヤー３、映像表示装置１，１，…、映像表示装置２からは電源５，５へ配線手段７ａ，７ａ，…が施されており、ＤＶＤプレーヤー３よりＡＶ分配機４を介して映像表示装置１，１，…へは継電器接点６，６，…を介在させ、航空機の到着により乗客がバゲージルームへ移動するのに合わせて継電器接点６，６，…が閉じられるようにし、映像表示装置１，１，…を起動させて映像表示する手段を講じてある。
【００１３】
例えば、航空機の到着によりバゲージルームで点灯又は点滅するフライトインジケーターより受信して前記継電器接点６，６，…を閉じて映像表示装置１，１，…を起動させて映像表示させる手段を講ずるとか、或いはリモコン等により映像表示装置１，１，…を起動させて映像表示させるようにしても良い。
【００１４】
前記映像表示装置１，１，…と映像表示装置２は、薄型の液晶ハイビジョンテレビとし、大きさは３２インチ程度としているが、これに限定するものではなく、バゲージルームのコンベアー近辺の現場スペースに合わせて大きさや据付け方式、及び据付けレイアウト等を決める。
【００１５】
又、バゲージルームコンベアー近辺に設置する映像表示装置１，１，…は、コンベアーの内側のスペースに複数台（本実施例では２台）設置するのが良く、コンベアーの大きさ（周囲の長さ）によっては設置台数を増やすようにしてある。設置する場合、コンベアー周囲の一極集中を避けるためレイアウトに配慮し、コンベアーの内側に設置スペースが確保できない場合は、壁掛け若しくは天井からの吊下げ設置でも良い。
【００１６】
図２は、空港到着ロビーのバゲージルームに設置した設置例を示す平面図である。空港到着ロビーのバゲージルーム８にはコンベアー９が設置してあり、該コンベアーの内側のスペースに映像表示装置１，１が設置され、バゲージルーム８の出入口１０近辺に映像表示装置２、及びＤＶＤプレーヤー３、ＡＶ分配機４を設置して、前記映像表示装置１，１への配線手段７，…が施されている。
【００１７】
上記設置例におけるバゲージルームコンベアー部を斜視図で表わすと図３に示すとおりであり、コンベアー９の大きさ（周囲の長さ）は種々あり、コンベアー９の内側のスペースに設置される映像表示装置１，１は本実施例では２台であるが、コンベアーの大きさや内側のスペースにより、或いは壁掛け設置等を考慮して設置台数が追加できるようにしてある。
【００１８】
そして、航空機が到着したのに合わせ点灯若しくは点滅するバゲージルーム内のフライトインジケーター（図示せず）より受信して前記映像表示装置１，１が起動し、前記フライトインジケーターの消灯により停止して映像表示は消える。バゲージルームの出入口１０近辺に設置された映像表示装置２は常時映像表示されたままの状態である。映像表示装置１，１はリモコン等により起動、停止させても良い。
【００１９】
映像表示装置で映像表示される情報は、地域の観光スポットや自然、歴史散策、グルメ、特産品等の情報を音声画像編集し、それにスポンサー等のスポット広告等を入れるなどしてＤＶＤプレーヤー等より配線手段を介して前記映像表示装置にて映像表示する。
【産業上の利用可能性】
【００２０】
本発明に係る空港到着ロビー映像表示システムは、空港の到着ロビーのみならず、出発ロビーにも設置して利用できる可能性がある。
【図面の簡単な説明】
【００２１】
【図１】本発明に係る空港到着ロビー映像表示システムの実施例を示す系統図である。
【図２】空港到着ロビーのバゲージルームへの設置例を示す平面図である。
【図３】映像表示装置をバゲージルームコンベアー内側スペースに設置した設置例を示す斜視図である。
【符号の説明】
【００２２】
１，２  映像表示装置
３  ＤＶＤプレーヤー
４  ＡＶ分配機
５  電源
６  継電器接点
７，７ａ  配線手段
８  バゲージルーム
９  コンベアー
１０  出入口
【図１】
2007072140.tif 000003
【図２】
2007072140.tif 000004
【図３】
2007072140.tif 000005